(57)【特許請求の範囲】
【請求項１】
遊技盤と、球送り装置と、この球送り装置から送られる遊技球を前記遊技盤の遊技領域に向けて発射する球発射装置とを備える遊技機において、
前記球発射装置は、
前記遊技球の発射位置から前記遊技領域に達するまでの球移動経路の少なくとも一部を、前記遊技球の前記発射後遮断可能なように形成した遮断部材と、
前記遊技球に打撃位置にて打撃を加えることで前記遊技球を発射させた後に前記打撃位置から後退位置に向けて後退する槌部材とを備えて、
前記遮断部材は、前記槌部材と一体的に形成されて、前記槌部材の前記後退位置から前記打撃位置への変位に伴い前記球移動経路の少なくとも一部の遮断を解放するように前記槌部材と一体的に変位し、前記槌部材の前記打撃位置から前記後退位置への変位に伴い前記球移動経路の少なくとも一部を遮断するように前記槌部材と一体的に変位するようにしたことを特徴とする遊技機。
【請求項２】
前記球発射装置は、前記球送り装置から送られる遊技球を１個だけ載せるに要する長さにて形成した発射レールを備えることを特徴とする請求項１に記載の遊技機。
【請求項３】
前記遮断部材は、前記発射レールの発射端部にて遮断可能なように形成されていることを特徴とする請求項２に記載の遊技機。
【発明の詳細な説明】
【技術分野】
【０００１】
本発明は、球送り装置から送られる遊技球を遊技盤の遊技領域に向けて発射するように構成してなる球発射装置を備えた遊技機に関する。
【背景技術】
【０００２】
従来、この種の遊技機においては、下記特許文献１に記載のパチンコ遊技機が提案されている。当該パチンコ遊技機は、打球通路を遮断可能な遮蔽部材を設け、上皿内の遊技球を下皿へ球抜きするための球抜き操作がなされたとき、遮蔽部材により打球通路を遮断するとともに、発射装置を動作させて発射レール上及び球送り装置内に残っている残留遊技球を打撃し、打撃された残留遊技球を遮蔽部材に当ててファウル球誘導路へ導くように構成されている。
【先行技術文献】
【特許文献】
【０００３】
【特許文献１】特開２００１−３１４５７２号公報
【発明の概要】
【発明が解決しようとする課題】
【０００４】
ところで、上記パチンコ遊技機においては、上皿内の遊技球を下皿へ球抜きするとき、上述のごとく、発射レール上及び球送り装置内の残留遊技球をファウル球誘導路へ導くように遮蔽部材でもって打球通路を遮断する構成となっている。
【０００５】
従って、遮蔽部材が、打球通路を遮断する前においては、当該打球通路を遮断していない状態にあることから、このような状態では、発射装置の作動のもとに発射レールから打球通路へ打撃された遊技球がその後に戻り球として発射レールに戻ると、発射レール上には、当該戻り球に加え、球送り装置から送り球として送られる遊技球が待機することとなる。
【０００６】
このため、発射装置による次の発射時には、戻り球及び送り球の双方が存在することとなる。これでは、２個の遊技球を同時に発射装置により発射しなければならず、発射装置による遊技球の円滑な発射が阻害されるおそれがある。
【０００７】
そこで、本発明は、以上のようなことに対処するため、球送り装置から送られて球発射装置により発射される遊技球がその発射後遊技盤の遊技領域に向かう球移動経路にて円滑に移動し得るように球発射装置の構成に工夫を凝らしてなる遊技機を提供することを目的とする。
【課題を解決するための手段】
【０００８】
上記課題の解決にあたり、本発明に係る遊技機は、請求項１の記載によれば、
遊技盤（２０）と、球送り装置（４０）と、この球送り装置から送られる遊技球を遊技盤の遊技領域（２１）に向けて発射する球発射装置（５０、６０）とを備える。
【０００９】
当該遊技機において、球発射装置は、
遊技球の発射位置から上記遊技領域に達するまでの球移動経路の少なくとも一部を、遊技球の発射後遮断可能なように形成した遮断部材（５３ｃ、５３ｈ、６２ｃ）と、
遊技球に打撃位置にて打撃を加えることで遊技球を発射させた後に上記打撃位置から後退位置に向けて後退する槌部材（５３ｂ、６２ｂ）とを備えて、
遮断部材は、槌部材と一体的に形成されて、槌部材の上記後退位置から上記打撃位置への変位に伴い上記球移動経路の少なくとも一部の遮断を解放するように槌部材と一体的に変位し、槌部材の上記打撃位置から上記後退位置への変位に伴い上記球移動経路の少なくとも一部を遮断するように槌部材と一体的に変位するようにしたことを特徴とする。
【００１０】
これによれば、上記球移動経路の少なくとも一部が、球発射装置による遊技球の発射後遮断部材により遮断されるので、発射された遊技球が、例えば戻り球として上記球移動経路を介し球発射装置に戻ろうとしても、当該遊技球が遮断部材により阻止されて球発射装置に戻ることはできない。従って、球発射装置により次に発射される遊技球は、戻り球により干渉されることなく、球送り装置から送られる遊技球のみとなる。
ここで、上述したごとく、遮断部材が槌部材と一体的に形成されている。従って、槌部材が上記打撃位置から上記後退位置へ変位するに伴い、遮断部材は、上記球移動経路の少なくとも一部を遮断するように変位する。また、槌部材が上記後退位置から上記打撃位置へ変位するに伴い、遮断部材は、上記球移動経路の少なくとも一部の遮断を解放するように変位する。
このように、遮断部材の回動を槌部材の回動に同期させることで、何ら制御手段に依存することなく、球発射装置から発射された遊技球が遮断部材に達する前には、上記球移動経路の遮断を解放することができる。このため、球発射装置から発射された遊技球を、上記球移動経路を介し遊技盤の遊技領域に向けて良好に飛ばすことができる。その結果、球発射装置による遊技球の発射が円滑になされ得る。
【００１８】
また、本発明は、請求項２の記載によれば、請求項１に記載の遊技機において、球発射装置は、球送り装置から送られる遊技球を１個だけ載せるに要する長さにて形成した発射レール（５６、６４）を備えることを特徴とする。
【００１９】
これによれば、請求項１に記載の発明の作用効果を達成し得るのは勿論のこと、２個以上の遊技球が発射レール上に載ることはないので、球発射装置による遊技球の発射がより一層円滑になされ得る。
【００２０】
また、本発明は、請求項３の記載によれば、請求項２に記載の遊技機において、遮断部材は、発射レールの発射端部（５６ｂ、６４ｂ）にて遮断可能なように形成されていることを特徴とする。
【００２１】
これによれば、請求項２に記載の発明の作用効果を達成し得るのは勿論のこと、戻り球を発射レールから遮断するとともに、球送り装置から送られた遊技球の球こぼれを防止し得る。その結果、球送り装置からの遊技球の発射が確実に確保され得る。
【発明の効果】
【００２２】
本発明によれば、球移動経路の少なくとも一部が、球発射装置による遊技球の発射後遮断部材により遮断されるので、発射された遊技球が、例えば戻り球として上記球移動経路を介し球発射装置に戻ろうとしても、当該遊技球が遮断部材により阻止されて球発射装置に戻ることはできない。従って、球発射装置により次に発射される遊技球は、戻り球により干渉されることなく、球送り装置から送られる遊技球のみとなる。
ここで、遮断部材が槌部材と一体的に形成されている。従って、槌部材が上記打撃位置から上記後退位置へ変位するに伴い、遮断部材は、上記球移動経路の少なくとも一部を遮断するように変位する。また、槌部材が上記後退位置から上記打撃位置へ変位するに伴い、遮断部材は、上記球移動経路の少なくとも一部の遮断を解放するように変位する。
このように、遮断部材の回動を槌部材の回動に同期させることで、何ら制御手段に依存することなく、球発射装置から発射された遊技球が遮断部材に達する前には、上記球移動経路の遮断を解放することができる。このため、球発射装置から発射された遊技球を、上記球移動経路を介し遊技盤の遊技領域に向けて良好に飛ばすことができる。その結果、球発射装置による遊技球の発射が円滑になされ得る。
【００２３】
なお、上記各手段の括弧内の符号は、後述する実施形態に記載の具体的手段との対応関係を示す。
【図面の簡単な説明】
【００２４】
【図１】本発明に係る遊技装置の第１実施形態を示す斜視図である。
【図２】図１の遊技装置を、パチンコ遊技機の前扉を開いた状態で示す斜視図である。
【図３】図２の遊技装置を、さらに、遊技機本体の下部を分解した状態で示す斜視図である。
【図４】図３の遊技装置おいて遊技機本体の下部を、球発射装置を分離した状態で示す部分破断分解斜視図である。
【図５】図４の球発射装置を示す拡大斜視図である。
【図６】図５の球発射装置の正面図である。
【図７】図４の球発射装置を示す分解斜視図である。
【図８】上記第１実施形態における遊技機本体において、球発射装置を、発射レール上に遊技球を載せるとともに槌部材の槌本体を原回動位置に維持した状態で示す部分破断正面図である。
【図９】図８の遊技機本体において、球発射装置を、槌部材の時計方向への回動過程にて示す部分破断正面図である。
【図１０】図９の遊技機本体において、球発射装置を、槌部材の時計方向へのさらなる回動過程にて示す部分破断正面図である。
【図１１】図１０の球発射装置を示す拡大正面図である。
【図１２】図１０の遊技機本体において、球発射装置を、槌部材の槌本体の原回動位置への回動状態にて示す部分破断正面図である。
【図１３】図１２の遊技機本体において、球発射装置を、槌本体により遊技球の打撃を加えた状態で示す部分破断正面図である。
【図１４】図１３の球発射装置を拡大した状態で示す拡大正面図である。
【図１５】図１３の遊技機本体において、球発射装置を、槌部材の反時計方向への回動過程にて示す部分破断正面図である。
【図１６】図１５の球発射装置を、遮断アームの遮断回動位置への回動のもとに遮断部により戻り球を阻止する状態にて示す部分破断正面図である。
【図１７】図１６の球発射装置を、発射レール上への遊技球の送り状態にて示す部分破断正面図である。
【図１８】図１７の球発射装置の部分拡大断面図である。
【図１９】上記第１実施形態の遊技機本体を、遮断アームを遮断回動位置に維持して、発射レール上に遊技球を送られた状態にて示す部分破断正面図である。
【図２０】本発明の第２実施形態の要部を示す部分破断正面図である。
【図２１】図２０の遊技機本体において、球発射装置を、発射レール上への遊技球の送り状態で槌部材の時計方向への回動過程にて示す部分破断正面図である。
【図２２】図２１の遊技機本体において、球発射装置を、槌部材の時計方向へのさらなる回動過程にて示す部分破断正面図である。
【図２３】図２２の遊技機本体において、球発射装置を、槌部材の打撃部により遊技球に打撃を加えた状態にて示す部分破断正面図である。
【図２４】図２３の遊技機本体において、球発射装置を、遮断アームを遮断回動位置まで回動させた状態にて示す部分破断正面図である。
【図２５】本発明の第３実施形態を、遊技機本体から前扉を開いた状態で示す斜視図である。
【図２６】図２５の遊技機本体を示す正面図である。
【図２７】上記第３実施形態を、遊技機本体から前扉を開いた状態で示す斜視図である。
【図２８】図２７の遊技機本体を、揚送装置による遊技球の揚送状態にて示す正面図である。
【図２９】図２６の遊技機本体の要部を拡大した状態で示す要部拡大正面図である。
【図３０】図２９の遊技機本体において、球発射装置を、槌部材の反時計方向への回動過程にて示す正面図である。
【図３１】図３０の遊技機本体において、球発射装置を、槌部材の槌本体の原回動位置への回動状態にて示す正面図である。
【発明を実施するための形態】
【００２５】
以下、本発明の各実施形態を図面により説明する。
（第１実施形態）
図１〜図３は、本発明を適用してなる遊技装置の第１実施形態を示しており、当該遊技装置は、パチンコ遊技機Ｐ、球管理装置Ｑ及び揚送装置Ｒでもって構成されている。
【００２６】
パチンコ遊技機Ｐは、球管理装置Ｑ及び揚送装置Ｒと共に、ホール（図示しない）内の島設備に配設される。なお、図１において、図示左側斜め後方及び図示右側斜め前方は、それぞれ、当該パチンコ遊技機Ｐの左側斜め後方及び右側斜め前方に対応し、図示上下方向は、当該パチンコ遊技機Ｐの上下方向に対応する。
【００２７】
当該パチンコ遊技機Ｐは、機枠Ｐｆ（外枠Ｐｆ）、遊技機本体Ｐｂ及び前扉Ｆｄによって構成されており、機枠Ｐｆは、上記島設備に着脱可能に組み付けられている。遊技機本体Ｐｂは、図２或いは図３にて示すごとく、本体枠１０（内枠１０）と、この本体枠１０にその前面側から嵌装してなる遊技盤２０とを備えている。なお、本体枠１０は、その左縁部にて、機枠Ｐｆの左縁部に前後方向へ回動可能に支持されている。
【００２８】
また、遊技機本体Ｐｂは、図２或いは図３にて示すごとく、案内レール３０、球送り装置４０及び球発射装置５０を有しており、案内レール３０は、遊技盤２０の盤面に沿い設けられている。当該案内レール３０は、内側レール部３１及び外側レール部３２を有している。これら内側レール部３１及び外側レール部３２は、遊技盤２０の盤面の外周部に沿い円弧状に組み付けられており、当該内側レール部３１及び外側レール部３２の内周側には、遊技領域２１が遊技盤２０の盤面上に形成されている。
【００２９】
また、内側レール部３１は、外側レール部３２の内周側に位置しており、当該内側レール部３１の左側部位と外側レール部３２の左側部位との間には、案内通路３３が、球発射装置５０（後述する）により発射レール部材５０ｂ（図５参照）に沿い発射される遊技球を遊技領域２１内に案内するように形成されている。なお、案内通路３３は、その案内口部３３ａ（図３参照）にて、後述する発射レール５６（図５参照）の発射先端部５６ｂ（図７参照）に対向している。
【００３０】
球送り装置４０は、図２或いは図３にて示すごとく、球発射装置５０を介し、遊技盤２０の下縁右側部の直下にて遊技機本体Ｐｂの本体枠１０の下部に組み付けられている。
【００３１】
当該球送り装置４０は、その球送り作動のもとに、球供給通路４０ａから供給される遊技球を球抜き装置４０ｂ（図３参照）を介し順次１個ずつ球発射装置５０に送るように構成されている。ここで、球供給通路４０ａは、前扉Ｆｄの球受け皿（図示しない）から供給される遊技球や遊技盤２０のアウト口２２（図２或いは図３参照）からの遊技球を球送り装置４０に供給するように、遊技機本体Ｐｂの本体枠１０の下部に支持されている。
【００３２】
また、球抜き装置４０ｂは、図３から分かるように、球供給通路４０ａと球送り装置４０との間に介装されており、当該球抜き装置４０ｂは、球供給通路４０ａから球送り装置４０へ供給すべき遊技球を、後述する球抜き操作機構Ｓ（図２参照）による球抜き操作に伴い、抜いて前扉Ｆｄの上記球受け皿内に戻すようになっている。
【００３３】
球発射装置５０は、図２或いは図３にて示すように、遊技盤２０の下縁右側部の直下にて本体枠１０の下部にその前側から組み付けられており、当該球発射装置５０は、発射装置本体５０ａと、発射レール部材５０ｂとによって構成されている（図５及び図６参照）。
【００３４】
発射装置本体５０ａは、図４〜図７のいずれかにて示すごとく、基板５１を有しており、この基板５１は、その外周部にて、本体枠１０の下部に形成した開口部１１（図４参照）の外周部にその前面側から装着されている。
【００３５】
また、当該発射装置本体５０ａは、図４〜図７のいずれかにて示すごとく、ケーシング部材５２、二股状の回動部材５３及びロータリーソレノイド５４を有している。
【００３６】
ケーシング部材５２は、基板５１の前面に沿い取り付けられており、このケーシング部材５２は、基板５１と共に、回動部材５３を収容するケーシングとして構成している。
【００３７】
回動部材５３は、上記ケーシング内にて、その回動中心部５３ａでもって、ロータリーソレノイド５４の回動軸５４ｂ（後述する）の先端部に同軸的に支持されている。
【００３８】
当該回動部材５３は、槌５３ｂ及び遮断アーム５３ｃを有しており、これら槌５３ｂ及び遮断アーム５３ｃは、回動中心部５３ａから基盤５１の前面に沿い二股状にかつ長手状に延出して回動部材５３を構成している。
【００３９】
本第１実施形態において、槌５３ｂは、長手状基部５３ｄ及び打撃部５３ｅを有しており、長手状基部５３ｄは、回動中心部５３ａから基盤５１の前面に沿い回動可能にかつ長手状に延出している。打撃部５３ｅは、長手状基部５３ｄの延出端部から図６にて図示時計方向に屈曲するように一体的に延出されて、槌５３ｂをほぼＬ字状に構成している。
【００４０】
このように構成した槌５３ｂは、発射レール部材５０ｂの発射レール５６（後述する）上の遊技球に対し打撃部５３ｅにより打撃を加えるために発射レール部材５０ｂの発射レール５６の発射基端部５６ａ（後述する）に対向する原回動位置（球打撃回動位置）と、球送り装置４０からの次の遊技球を発射レール５６上にセットする（載せる）ために上記原回動位置から後退する後退回動位置との間において、当該後退回動位置から上記原回動位置へ、或いは、当該原回動位置から上記後退回動位置へロータリーソレノイド５４の回動軸５４ｂを中心として回動するようになっている。
【００４１】
しかして、発射レール５６上の遊技球が槌５３ｂによりその打撃部５３ｅでもって打撃を加えられると、当該遊技球は、打撃部５３ｅによる打撃に基づき、発射レール５６に沿い発射されて、当該発射レール５６の発射先端部５６ｂ（後述する）から案内レール３０の案内通路３３の案内口部３３ａ（図３参照）に向けて発射される。
【００４２】
本第１実施形態において、遊技球が発射レール５６の発射先端部５６ｂから案内通路３３の案内口部３３ａにかけて移動する経路を、以下、球移動経路というものとする。ここで、当該球移動経路の横断面は、後述する支持壁５７の幅に対応する。
【００４３】
また、本第１実施形態において、「発射」とは、発射レール５６の発射先端部５６ｂ上に載っている遊技球（換言すれば、待機状態にある遊技球）に打撃力を与えて案内通路３３を介し遊技盤２０の遊技領域２１に移動させることをいう。なお、一般的には、「発射」とは、待機状態にある遊技球に力を与えて遊技盤２０の盤面に向けて移動させることをいい、上記力としては、打撃力、風力、磁力等の例があるが、本第１実施形態のように、打撃力を上記力とするのが一般的である。
【００４４】
一方、遮断アーム５３ｃは、槌５３ｂの回動に連動してロータリーソレノイド５４の回動軸５４ｂを中心として回動するようになっている。当該遮断アーム５３ｃは、長手状基部５３ｆ及び遮断部５３ｇを有しており、長手状基部５３ｆは、回動中心部５３ａから基盤５１の前面に沿い回動可能にかつ長手状に延出している。ここで、当該長手状基部５３ｆは、長手状基部５３ｄに対し鋭角をなすように、回動中心部５３ａから長手状基部５３ｄの図６にて図示左側へ延出している。
【００４５】
遮断部５３ｇは、長手状基部５３ｆに対し他の鋭角をなすべく、長手状基部５３ｆの延出端部から図６にて図示反時計方向へ屈曲するように一体的に延出されて、遮断アーム５３ｃをほぼ「く」の字状に構成している。
【００４６】
しかして、遮断アーム５３ｃは、遮断部５３ｇの先端部にて、発射レール５６上の遊技球に対する打撃部５３ｅの打撃直前に、上記球移動経路よりも上側の回動位置（遮断解放最小回動位置ともいう）に位置し、また、発射レール５６上の遊技球に対する打撃部５３ｅの打撃直後には、発射レール５６をその発射先端部５６ｂ側から遮断する回動位置（以下、遮断回動位置ともいう）に位置するように、槌５３ｂに連動して回動する。なお、回動部材５３において、遮断アーム５３ｃは、槌５３ｂに対し錘としての役割をも果たす。
【００４７】
本第１実施形態では、遮断アーム５３ｃの遮断回動位置は、図８にて示すごとく、遮断アーム５３ｃの遮断部５３ｇが発射レール５６をその発射先端部５６ｂ側から遮断するように発射レール５６の発射先端部５６ｂにその上方から近接する位置をいう。また、遮断アーム５３ｃの遮断解放最小回動位置は、遮断アーム５３ｃの遮断部５３ｇが支持壁５７（後述する）の上縁部５７ａ（図５参照）に対応する位置をいう。なお、遮断アーム５３ｃの遮断解放最小回動位置は、遮断アーム５３ｃの遮断解放回動範囲のうちの図８にて反時計方向回動端位置に相当する。また、当該遮断解放回動範囲は、上記遮断解放最小回動位置を解放に起点として遮断アーム５３ｃの時計方向最大回動端位置までの範囲（遮断解放最大回動位置）をいう。
【００４８】
ロータリーソレノイド５４は、図５或いは図７にて示すごとく、ソレノイド本体５４ａから回動軸５４ｂを同軸的に延出して構成されており、当該ロータリーソレノイド５４は、ソレノイド本体５４ａにて、基板５１の右側部にその後面側から支持されている。また、回動軸５４ｂは、基板５１の右側部に形成した貫通孔部（図示しない）に回動自在に挿通されて基板５１の右側部の前方へ延出している。
【００４９】
しかして、当該ロータリーソレノイド５４は、操作ハンドルＨの回動操作に伴い励磁調整されて、パルス回路（図示しない）から発生するパルス信号に応じて、回動軸５４ｂを介し回動部材５３を図６にて図示時計方向に回動させる。
【００５０】
この回動に伴い、回動部材５３は、遮断アーム５３ｃの自重に抗して、槌５３ｂの打撃部５３ｅにて上記ケーシングの開口部を介し発射レール５６の発射基端部上の遊技球に打撃を加える位置（上記原回動位置）に回動する。
【００５１】
このとき、遮断アーム５３ｃは、上記球移動経路よりも上側に位置するように、槌５３ｂに連動して同一方向へ回動する。
【００５２】
また、当該回動部材５３は、槌５３ｂの上記原回動位置への回動に伴うロータリーソレノイド５４の消磁のもとに、遮断アーム５３ｃの自重に応じて、上記原回動位置から上記後退回動位置に向けて図６にて図示反時計方向に回動する。換言すれば、回動部材５３は、槌５３ｂの打撃部５３ｅによる発射レール５４の発射基端部上の遊技球に対する打撃後、遮断アーム５３ｃの自重に基づき、上記原回動位置から上記後退回動位置に向けて回動する。なお、上記パルス回路は、その作動に応じて、パルス信号を順次発生してロータリーソレノイド５４に出力する。また、上記ケーシングの開口部は、発射レール５６の発射基端部に対向するように形成されている。
【００５３】
発射レール部材５０ｂは、前後両側脚壁５５及び発射レール５６でもって、横断面Ｍ字状に構成されている。当該発射レール部材５０ｂは、前後両側脚壁５５のうち後側脚壁５５にて、支持壁５７（図６参照）の右下側部にその前面側から支持されている。
【００５４】
ここで、支持壁５７は、上記ケーシングの上記開口部から案内レール３０の案内通路３３の案内基端部３３ａに向くように基板５１の前面に沿い左側上方へ傾斜状に延出されている。これに伴い、発射レール部材５０ｂは、その後側脚壁５５にて、支持壁５７の傾斜方向に沿うように傾斜状に当該支持壁５７の右下側部に支持されている。
【００５５】
発射レール５６は、図６或いは図７から分かるように、その幅方向両縁部にて、前後両側脚壁５５の各上縁部と一体的に形成されており、当該発射レール５６は、前後両側脚壁５５と共に、発射レール部材５０ｂを横断面Ｍ字状に構成するように、横断面Ｖ字状に形成されている。
【００５６】
当該発射レール５６は、その発射基端部５６ａにて、上記ケーシングの上記開口部に左側から対向している。また、当該発射レール５６は、その発射基端部５６ａから発射先端部５６ｂにかけて、前後両側脚壁５５の傾斜方向に沿い傾斜状に案内レール３０の案内通路３３の案内基端部３３ａに向けて延出している。従って、当該発射レール５６は、その発射先端部５６ｂにて、案内通路３３の案内基端部３３ａに対向する。
【００５７】
これに伴い、球送り装置４０から発射レール５６に送られる遊技球は、発射レール５６の発射基端部５６ａ上にて、支持壁５７のストッパ５７ｂ（図１１参照）に当接する。ここで、ストッパ５７ｂは、支持壁５７の傾斜方向下端上部にて断面Ｖ字状にて下方へ突出するように、かつ、支持壁５７の傾斜方向下端上部から前方を突出するように形成されており、当該ストッパ５７ｂの下端部と発射レール５６の発射基端部５６ａとの間隔は、遊技球の外径よりも狭くなっている。
【００５８】
このことは、ストッパ５７ｂは、当該遊技球を発射レール５６から脱落しないように発射基端部５６ａ上に保持する役割を果たすことを意味する。本第１実施形態において、発射レール５６の長さは、当該発射レール５６の上面に遊技球を１個だけ載せるに要する長さに設定されている。
【００５９】
また、発射レール部材５０ｂは、図７にて示すごとく、Ｕ字状の光センサー５８を有しており、当該光センサー５８は、図６或いは図８にて示すごとく、発射レール５６の発射基端部５６ａに設けられている。具体的には、当該光センサー５８は、その発光部及び受光部にて、発射レール５６の発射基端部５６ａをその前後両側から挟持するように当該発射基端部５６ａに立設されている。
【００６０】
これにより、球送り装置４０からの遊技球が発射レール５６の発射基端部５６ａ上にてストッパ５７ｂに当接して光センサー５８の発光部及び受光部の間に達したとき、光センサー５８の発光部からの光に対する受光部の受光が当該遊技球により遮断されることで、当該光センサー５８は、球送り装置４０から送られた遊技球の存在を検出して検出信号を発生する。また、発射レール５６の発射基端部５６ａ上の遊技球が打撃を受けて発射されたとき、光センサー５８からの検出信号の発生は、停止する。なお、発射レール部材５０ｂは、Ｍ型発射レール部材ともいう。
【００６１】
前扉Ｆｄは、図１にて示すごとく、前枠Ｆｄａ、透明の窓ガラスＦｄｂ、球抜き操作機構Ｓ及び操作ハンドルＨを備えており、前枠Ｆｄａは、その左縁部にて、遊技機本体Ｐｂの左縁部を介し、機枠Ｐｆの左縁部に前後方向に回動可能に支持されている。
【００６２】
窓ガラスＦｄｂは、前枠Ｆｄａにその中空部に対応するように後面側から組み付けられており、当該窓ガラスＦｄｂは、その前側から遊技盤２０を透視可能となっている。球抜き操作機構Ｓは、図２にて示すごとく、前枠Ｆｄａの右側下部に設けられており、当該球抜き操作機構Ｓは、その操作部Ｓａ（図１参照）の操作に基づき、球抜き装置４０ａに球抜き作動をさせる。なお、操作部Ｓａは、遊技者の操作を容易にするため、前枠Ｆｄａの上記右側下部から前方へ露呈している。
【００６３】
操作ハンドルＨは、図１にて示すごとく、前枠Ｆｄａの右下側隅角部にその前面側から回動操作可能に支持されており、当該操作ハンドルＨは、その回動操作に応じて励磁調整されて打球力を調整するようになっている。
【００６４】
また、遊技機本体Ｐｂは、多数の遊技釘、大入賞口装置や始動入賞口装置など遊技者に有利な遊技状態を与えるための入賞口装置、その他の各種の盤面部品（図示しない）を有しており、これら盤面部品は、遊技盤２０の盤面に設けられている。なお、上記多数の遊技釘は、遊技盤２０の盤面に遊技領域２１内にて分散して打ち込まれている。
【００６５】
球管理装置Ｑは、図１にて示すごとく、パチンコ遊技機Ｐの左側にて当該パチンコ遊技機Ｐに付設するように上記島設備に設けられている。当該球管理装置Ｑ
は、パチンコ遊技機Ｐの大入賞口装置や始動入賞口装置等の入賞口装置への遊技球の入賞に伴い所定数の遊技球を払い出してパチンコ遊技機Ｐの前扉Ｆｄの上記受け皿内に供給し、また、払い出し数である上記所定数を記憶するようになっている。
【００６６】
また、揚送装置Ｒは、パチンコ遊技機Ｐの遊技盤２０の遊技領域２１に沿い転動してアウト口２２を介し受け皿内に収容した遊技球やファウル球を揚送して球送り装置４０に供給するようになっている。
【００６７】
以上のように構成した本第１実施形態において、当該パチンコ遊技機Ｐが遊技者による遊技状態にあるものとする。現段階において、遊技者が操作ハンドルＨを操作していなければ、球発射装置５０は、そのロータリーソレノイド５４（図７参照）の消磁のもとに、停止状態にある。このような状態において、球発射装置５０では、球送り装置４０から送られた遊技球Ｑが、図８にて示すごとく、発射レール部材５０ｂの発射レール５６の発射基端部５６ａ上にあって、支持壁５７のストッパ５７ｂに当接しているものとする。このため、遊技球Ｑは、光センサー５８により検出されるとともに、発射レール５６上から発射基端部５６ａ側へこぼれないように当該発射レール５６上に保持され得る。
【００６８】
また、このような段階では、回動部材５３において、槌５３ｂは、図８にて示すごとく、その後退回動位置まで回動した状態にあり、遮断アーム５３ｃは、遮断部５３ｇにて、上記遮断回動位置に位置している。従って、遮断アーム５３ｃの遮断部５３ｇが発射レール５６の発射先端部５６ｂにその上方から近接することで、発射レール５６は、発射先端部５６ｂ側から遮断されている。このため、遊技球Ｑは、発射レール５６上から発射先端部５６ｂ側へこぼれ落ちないように当該発射レール５６上に保持され得る。
【００６９】
このような状態において、遊技者による操作ハンドルＨの回動操作のもと、球発射装置５０において、ロータリーソレノイド５４が、上記パルス回路から順次発生するパルス信号に応じ、回動軸５４ｂを中心として、回動部材５３を図８にて図示時計方向に回動させる。
【００７０】
換言すれば、回動部材５３において、槌５３ｂが、遮断アーム５３ｃと一体となって、当該遮断アーム５３ｃとともに、図８〜図１３にて示すごとく、図示時計方向に回動する。
【００７１】
このような回動過程においては、槌５３ｂが、図８〜図１０にて示すごとく、上記後退回動位置から上記原回動位置に向けて回動する。これに伴い、槌５３ｂが、その打撃部５３ｅにて、図１１にて拡大して示すごとく、発射レール５６の発射基端部５６ａ上の遊技球Ｑに対向する打撃直前回動位置まで回動する。
【００７２】
また、上述のように、槌５３ｂが、図８〜図１１にて示すごとく、上記後退回動位置から上記原回動位置に向けて回動すると、遮断アーム５３ｃが、当該槌５３ｂに連動して一体的に、図８〜図１１にて示すごとく、上記遮断回動位置から上記遮断解放最小回動位置まで回動する。
【００７３】
このことは、遮断アーム５３ｃの遮断部５３ｇが，槌５３ｂにより遊技球Ｑに打撃を加える直前には、上記球移動経路を解放する状態に達することを意味する。換言すれば、槌５３ｂが、図１２にて示すごとく、上記原回動位置に達したとき、遮断アーム５３ｃの遮断部５３ｇは、支持壁５７の上縁部５７ａに対応する位置よりも上側にあって、発射レール５６上の遊技球の発射を円滑に可能とする状態にある。
【００７４】
然る後、槌５３ｂが、図１２にて示すごとく、上記原回動位置に達して、打撃部５３ｅにより、発射レール５６の発射基端部５６ａ上の遊技球Ｑに打撃を加える。これに伴い、当該遊技球Ｑは、図１３及び図１４にて示すごとく、槌５３ｂの打撃部５３ｅによる打撃に基づき、発射レール５６上に沿い移動してその発射先端部５６ｂから発射されて、上記球移動経路に沿い遮断アーム５３ｃの遮断部５３ｇと干渉することなく、上記球移動経路に沿い飛んでいく。
【００７５】
ついで、当該遊技球Ｑが、案内レール３０の案内通路３３内にその案内基端部３３ａから移動して内側レール部３１と外側レール部３２との間から遊技盤２０の遊技領域２１内に進入すれば、当該遊技球Ｑは、遊技盤２０の盤面に沿い遊技領域２２内にて下方側へ転動していく。
【００７６】
上述のように遊技球Ｑが槌５３ｂの打撃により発射されると、ロータリーソレノイド５４が消磁されて、回動部材５３は、遮断アーム５３ｃの自重のもとに、図１３〜図１８にて示すごとく、反時計方向に回動する。これに伴い、槌５３ｂが上記原回動位置から上記後退回動位置に向けて回動し、遮断アーム５３ｃが、上記時計方向最大回動端位置から上記遮断回動位置に向けて回動する。
【００７７】
このような回動過程においては、槌５３ｂが上記原回動位置から上記打撃直前回動位置まで後退するように回動するに伴い、遮断アーム５３ｃが、上記時計方向最大回動端位置から上記遮断解放最小回動まで回動する（図１３〜図１５参照）。
【００７８】
このとき、槌５３ｂが上記打撃直前回動位置から上記後退回動位置まで後退するように回動するに伴い、遮断アーム５３ｃが、上記遮断解放最小回動位置から上記遮断回動位置まで回動する（図１５及び図１６参照）。このため、遮断アーム５３ｃがその遮断部５３ｇにて発射レール５６の発射先端部５６ｂにその上方から近接して、発射レール５６をその発射先端部５６ｂ側から遮断する。
【００７９】
従って、上述のように発射レール５６から上記球移動経路に沿い発射された遊技球Ｑが、上述のように遊技領域２１内に達することなく、図１６にて示すごとく、戻り球として、上記球移動経路に沿い発射レール５６に向けて逆戻りしても、当該戻り球は、遮断アーム５３ｃの遮断部５３ｇにより、発射レール５６から遮断されて、図１６にて矢印により示すごとく、戻り球誘導路５９により誘導されて、前扉Ｆｄの上記受け皿内に戻る。その結果、戻り球が発射レール５６上に載ることはない。
【００８０】
また、上述のように、遮断アーム５３ｃがその遮断部５３ｇにて発射レール５６をその発射先端部５６ｂ側から遮断している状態において、球送り装置４０が発射レール５６に対し次の遊技球を遊技球Ｑ１として送ると、当該遊技球Ｑ１は、図１７及び図１８にて示すごとく、発射レール５６上に載る。しかしながら、発射レール５６は、遊技球を１個だけ載せるに要する長さを有するものの、上述のように戻り球が発射レール５６から遮断された状態にある。このため、遊技球が発射レール５６上に２個載ることがなく、遊技球Ｑ１は、確実に発射レール５６の発射基端部５６ａ上に達して次の発射用遊技球としてセットされ得る（図１９参照）。
【００８１】
以上説明したように、本第１実施形態では、球発射装置５０の回動部材５３が、槌５３ｂ及び遮断アーム５３ｃでもって一体的に形成されているから、遮断アーム５３ｃは、槌５３ｂの回動に同期して回動する。このことは、槌５３ｂ及び遮断アーム５３ｃを一体的に構成することで、何らの制御手段に依存することなく、槌５３ｂに対するロータリーソレノイド５４の制御でもって、遮断アーム５３ｃの制御をも同時に行うことができることを意味する。
【００８２】
従って、槌５３ｂが上記原回動位置に回動したとき遮断アーム５３ｃは、何らの制御手段に依存することなく、確実に遮断最小回答位置に回動して上記球移動経路を解放し得る。
【００８３】
このため、槌５３ｂが上記原回動位置にて発射レール５６上の遊技球に打撃を加えて当該遊技球を発射させたとき、当該遊技球は、遮断アーム５３ｃの遮断部により干渉されることなく、上記球移動経路を通り遊技盤２０の遊技領域２１に向けて円滑に飛んでいくことができる。
【００８４】
また、槌５３ｂが上記後退回動位置に回動したとき遮断アーム５３ｃは、何らの制御手段に依存することなく、確実に球遮断位置に回動して上記球移動経路を遮断し得る。このため、上述のように発射された遊技球が遊技領域２１に達することなく発射レール５６に向けて戻り球として戻っても、当該戻り球は、上記球移動経路を遮断している遮断アーム５３ｃの遮断部により、発射レール５６から確実に遮断され得る。その結果、球送り装置４０からの次の遊技球が発射レール５６に送られても、発射レール５６上に載る遊技球は、上記次の遊技球のみに限られる。
【００８５】
ここで、発射レール５６は、遊技球を１個だけ載せるに要する長さで形成されているから、当該発射レール５６上に複数の遊技球が載ることはない。従って、球発射装置５０において、戻り球に干渉されることなく、遊技球を発射することが、より一層良好になされ得る。
【００８６】
また、遮断アーム５３ｃが上記球移動経路を遮断するとき、当該遮断アーム５３ｃの遮断部は、発射レール５６の発射先端部５６ｂに近接して位置する。従って、発射レール５６からのその発射先端部５６ｂ側への遊技球の球こぼれを招くことなく遊技球を確実に発射させることができる。
（第２実施形態）
図２０〜図２４は、本発明の第２実施形態の要部を示している。この第２実施形態では、上記第１実施形態にて述べた球発射装置５０において、回動部材５３が、槌５３ｂと、遮断アーム５３ｃに代わる遮断アーム５３ｈとを、回動中心部５３ａから基盤５１の前面に沿い二股状にかつ長手状に延出してなることにその構成上の特徴がある。
【００８７】
遮断アーム５３ｈは、長手状基部５３ｉ及び遮断部５３ｊを有しており、長手状基部５３ｉは、回動中心部５３ａから基盤５１の前面に沿い回動可能にかつ長手状に延出している。ここで、当該長手状基部５３ｉは、槌本体５０ｂの長手状基部５３ｄに対し鋭角をなすように、回動中心部５３ａから長手状基部５３ｄの図２０にて図示左側へ延出している。
【００８８】
遮断部５３ｊは、長手状基部５３ｉに対し鋭角をなすべく、長手状基部５３ｉの延出端部から図２０にて図示反時計方向へ屈曲するように一体的に延出されて、遮断アーム５３ｃをほぼ「く」の字状に構成している。
【００８９】
ここで、遮断アーム５３ｈは、その遮断部５３ｊの全長にて、上記第１実施形態にて述べた遮断アーム５３ｃの遮断部５３ｇよりも長くなるように形成されている。具体的には、遮断部５３ｊは、その延出端部にて、発射レール部材５０ｂの前後両側脚壁５５に対応する前後両側脚壁５５ａの各隅角部５５ｂ（図２０参照）に当接し得るように、遮断部５３ｇよりも長く形成されている。
【００９０】
本第２実施形態にいう発射レール部材５０ｂは、上記第１実施形態にて述べた発射レール部材５０ｂの前後両側脚壁５５に代わる前後両側脚壁５５ａと、発射レール５６とでもって、上記第１実施形態と同様にＭ型発射レール部材として構成されている。但し、前後両側脚壁５５ａは、上記第１実施形態にて述べた前後両側脚壁５５のような略長方形状とは異なり、発射レール５６の発射先端部５６ｂ側隅角部にて、図２０にて例示するごとく、遮断部５３ｊとの間の干渉を避けるように、傾斜状に切除されている。本第２実施形態にいう回動部材５３のその他の構成は、上記第１実施形態にて述べた回動部材５３の構成と同様である。
【００９１】
このように構成した回動部材５３において、遮断アーム５３ｈは、上記第１実施形態にて述べた槌５３ｂの回動に連動してロータリーソレノイド５４の回動軸５４ｂを中心として回動する。そして、当該遮断アーム５３ｈは、その遮断部５３ｊの先端部にて、発射レール５６上の遊技球に対する打撃部５３ｅの打撃直前に、球移動経路（以下、第２球移動経路という）の上縁部直上の回動位置（以下、第２遮断解放回動位置という）に位置するように、槌５３ｂに連動して回動する。
【００９２】
ここで、本第２実施形態にいう第２球移動経路は、上記第１実施形態にて述べた球移動経路（以下、本第２実施形態において、第１球移動経路という）とは、次のように異なる。即ち、上述のごとく、遮断部５３ｊを上記第１実施形態にて述べた遮断部５３ｇよりも長く形成するため、本第２実施形態では、第２球移動経路の横断面形状は、遊技球の外径よりも幾分大きめにて、遊技球の断面形状と相似な形状となるように、設定されている。
【００９３】
従って、上記第２球移動経路の内径は、図２１にて二点鎖線により示すごとく、上記第１実施形態にて述べた支持壁５７の幅よりも狭く、上記第２遮断解放回動位置は、支持壁５７の幅方向中間部位に位置する。
【００９４】
また、発射レール５６上の遊技球に対する打撃部５３ｅの打撃直後には、当該遮断アーム５３ｈは、その先端部にて、発射レール５６をその発射先端部５６ｂ側から遮断すべく、発射レール部材５０ｂの前後両側脚壁５５ａの各隅角部５５ｂに当接する回動位置（以下、第２遮断回動位置ともいう）に位置するように、槌５３ｂに連動して回動する。なお、本第２実施形態では、上記第２遮断回動位置に対し、上記第１実施形態にて述べた遮断回動位置は、第１遮断回動位置というものとする。
【００９５】
従って、本第２実施形態にいう遮断部５３ｊが上記第２遮断回動位置にあるときは、上記第１実施形態にいう遮断部５３ｇは上記第１遮断回動位置にある。従って、両遮断部５３ｇ、５３ｊが、発射レール５６をその発射先端部５６ｂ側から遮断する位置にあるとき、遮断部５３ｊは、その先端部にて、遮断部５３ｇの先端部に比べて、発射レール５６のより一層下方に位置する。
【００９６】
換言すれば、遮断アーム５３ｈの回動速度が上記第１実施形態にて述べた遮断アーム５３ｃの回動速度と同一であるとすれば、遮断部５３ｊが上記第２遮断回動位置から上記遮断解放最小回動位置（以下、本第２実施形態では、第１遮断解放回動位置という）まで回動する時点は、遮断部５３ｇが上記第１遮断回動位置から上記第１遮断解放回動位置まで回動する時点に比べて、遅くなる。本第２実施形態のその他の構成は、上記第１実施形態と同様である。
【００９７】
このように構成した本第２実施形態において、上記第１実施形態と同様に、球送り装置４０から送られた遊技球Ｑが、図２０にて示すごとく、発射レール部材５０ｂの発射レール５６の発射基端部５６ａ上にて支持壁５７のストッパ５７ｂに当接しているものとする。このとき、回動部材５３において、槌５３ｂは、図２０にて示すごとく、その後退回動位置まで回動した状態にあり、遮断アーム５３ｈは、遮断部５３ｊにて、図２０にて示すごとく、上記第２遮断回動位置に位置している。
【００９８】
従って、遮断アーム５３ｈが遮断部５３ｊにて発射レール部材５０ｂの前後両側脚壁５５ａの各隅角部５５ｂに当接することで、発射レール５６は、発射先端部５６ｂ側から遮断されている。このため、遊技球Ｑは、上記第１実施形態と同様に、発射レール５６上から発射先端部５６ｂ側へこぼれ落ちないように当該発射レール５６上に保持され得る。
【００９９】
このような状態において、上記第１実施形態と同様に、ロータリーソレノイド５４が、図２０（図８参照）にて図示時計方向に回動すると、回動部材５３において、槌５３ｂが、遮断アーム５３ｈと一体となって、当該遮断アーム５３ｈとともに、図２０〜図２２（図８〜図１２参照）にて示すごとく、図示時計方向に回動する。
【０１００】
このような回動過程においては、槌５３ｂが、図２０及び図２１（図８〜図１１参照）にて示すごとく、上記後退回動位置から上記原回動位置に向けて回動する。これに伴い、槌５３ｂが、その打撃部５３ｅにて、図２１にて拡大して示すごとく、発射レール５６の発射基端部５６ａ上の遊技球Ｑに対向する打撃直前回動位置まで回動する。
【０１０１】
また、上述のように、槌５３ｂが上記後退回動位置から上記原回動位置に向けて回動すると、遮断アーム５３ｈが、当該槌５３ｂに連動して一体的に、図２０〜図２２（図８〜図１２参照）にて示すごとく、上記第２遮断回動位置から上記第２遮断解放回動位置まで回動する。
【０１０２】
このことは、遮断アーム５３ｈの遮断部５３ｊが，槌５３ｂにより遊技球Ｑに打撃を加える直前には、上記第２球移動経路を解放する状態に達することを意味する。換言すれば、槌５３ｂが、図２２（図１２参照）にて示すごとく、上記原回動位置に達したとき、遮断アーム５３ｈの遮断部５３ｊは、上記第２球移動経路の上縁部の直上にあって、発射レール５６上の遊技球の発射を円滑に可能とする状態にある。
【０１０３】
然る後、槌５３ｂが、図２２（図１２参照）にて示すごとく、上記原回動位置にて、打撃部５３ｅにより、発射レール５６の発射基端部５６ａ上の遊技球Ｑに打撃を加えると、当該遊技球Ｑは、図２３（図１３及び図１４参照）にて示すごとく、槌５３ｂの打撃部５３ｅによる打撃に基づき、発射レール５６上に沿い移動してその発射先端部５６ｂから発射されて、上記第２球移動経路に沿い（図２３にて図示二点鎖線参照）に沿い、遮断アーム５３ｈの遮断部５３ｊと干渉することなく、図示二点鎖線により示すごとく、飛んでいく。
【０１０４】
ここで、本第２実施形態において、遮断アーム５３ｈが第１実施形態にて述べた遮断アーム５３ｃと同一の速度にて回動するものとすれば、上記第２遮断回動位置が、上述したごとく、上記第１実施形態における上記第１遮断回動位置よりも下方に位置することから、遮断アーム５３ｈの遮断部５３ｊが上記第２遮断回動位置から上記第２遮断解放回動位置に達する時点は、上記第１実施形態にて述べた遮断アーム５３ｃの遮断部５３ｇが上記第１遮断回動位置から上記第１遮断解放回動位置に達する時点よりも遅くなる。
【０１０５】
このことは、上述した遊技球に対する発射レール５６上の打撃直前という時点が、遊技球に対する打撃直前の時点ではあるものの、上記第１実施形態の場合よりもさらに遅くなることを意味する。従って、発射レール５６からの遊技球の発射を可能とするが、この可能とする時間幅を、上記第１実施形態よりもさらに狭くし得えて、戻り球の発射レール５６に対する戻りがより一層良好に防止され得る。
【０１０６】
上述のように遊技球Ｑが槌５３ｂの打撃により発射されると、上記第１実施形態と同様に、回動部材５３は、遮断アーム５３ｈの自重のもとに、図２３にて図示反時計方向に回動する。これに伴い、槌５３ｂが上記原回動位置から上記後退回動位置に向けて回動し、遮断アーム５３ｈが、上記第２遮断解放回動位置から上記第２遮断回動位置に向けて回動する。
【０１０７】
このとき、槌５３ｂが上記原回動位置から上記後退回動位置まで後退するように回動するに伴い、遮断アーム５３ｈが、上記第２遮断解放回動位置から上記第２遮断回動位置まで回動する（図２３参照）。このため、遮断アーム５３ｈが、その遮断部５３ｊにて、発射レール部材５０ｂの前後両側脚壁５５ａの各隅角部５５ｂに当接して、発射レール５６をその発射先端部５６ｂ側から遮断する。
【０１０８】
ここで、本第２実施形態において、遮断アーム５３ｈが上述と同様に第１実施形態にて述べた遮断アーム５３ｃと同一の速度にて回動するものとすれば、上記第２遮断回動位置が、上述したごとく、上記第１実施形態における上記第１遮断回動位置よりも下方に位置することから、遮断アーム５３ｈの遮断部５３ｊが上記第２遮断解放回動位置から上記第２遮断回動位置に達する時点の間において、遮断部５３ｊが上記第２球移動経路の上縁部を遮断する時点は、上記第１実施形態にて述べた遮断アーム５３ｃの遮断部５３ｇが上記第１移動経路の上縁部を遮断する時点よりも早くなる。
【０１０９】
このため、遊技球の発射レール５６への戻り球としての戻りの防止が、上記第１実施形態よりもさらに早くなされ得る。
【０１１０】
以上説明したように、本第２実施形態によれば、遮断アーム５３ｈが、その遮断部５３ｊの全長にて、上述したごとく、上記第１実施形態にて述べた遮断アーム５３ｃの遮断部５３ｇよりも長くなるように形成されている。
【０１１１】
従って、発射レール５６からの遊技球の発射を可能とする時間幅を、上述したごとく、上記第１実施形態よりもさらに狭くすることができ、その結果、戻り球の発射レール５６に対する戻りをより一層良好に防止し得る。その他の作用効果は、上記第１実施形態と同様である。
（第３実施形態）
図２５は、本発明の第３実施形態の要部を示している。この第３実施形態では、
上記第１実施形態にて述べた遊技機本体Ｐｂにおいて、案内レール３０及び球発射装置５０に代えて、案内レール３０ａ及び球発射装置６０を採用した構成となっている。
【０１１２】
案内レール３０ａは、図２５〜図２８のいずれかにて例示するごとく、上記第１実施形態にて述べた案内レール３０に代えて、遊技盤２０の盤面の外周部に沿い、単一の案内レールとして円形状に組み付けられており、当該案内レール３０ａの内周側には、上記第１実施形態にて述べた遊技領域２１が、遊技盤２０の盤面上に形成されている。
【０１１３】
また、案内レール３０ａは、図２５〜図２８のいずれかにて例示するごとく、案内口部３４を有しており、この案内口部３４は、案内レール３０ａのうち遊技盤２０の左上側隅角部に対する対応部位を切り欠くことで形成されている。
【０１１４】
このように構成した案内レール３０ａによれば、球発射装置６０から後述のように発射される遊技球は、遊技盤２０の左上側隅角部側から案内レール３０ａの案内口部３４を通り遊技領域２１内に案内される。
【０１１５】
球発射装置６０は、上記第１実施形態にて述べた球発射装置５０とは異なり、遊技盤２０の左上隅角部に形成した開口部２３（図２５参照）内に組み付けられており、当該球発射装置６０は、上記第１実施形態にて述べた球送り装置４０から送られる遊技球を発射するように構成されている。
【０１１６】
ここで、本第３実施形態では、球送り装置４０は、上記第１実施形態とは異なり、球発射装置６０にその後側から支持されており、当該球送り装置４０は、供給される遊技球を１個ずつ、球発射装置６０に送るように構成されている。
【０１１７】
球発射装置６０は、図２９或いは図３１にて拡大して示すごとく、発射装置本体６０ａと、発射レール部材６０ｂとによって構成されている。
【０１１８】
発射装置本体６０ａは、基板６１を有しており、この基板６１は、その外周部にて、遊技盤２０の開口部２３の内周面に着脱可能に支持されている。
【０１１９】
当該発射装置本体６０ａは、二股状の回動部材６２及び上記第１実施形態にて述べたロータリーソレノイド５４を有している。本第２実施形態では、ロータリーソレノイド５４は、上記第１実施形態とは異なり、ソレノイド本体５４ａにて、発射装置本体６０ａの基板６１の中間部位にその後面側から支持されている。また、回動軸５４ｂは、基板６１の上記中間部位に形成した貫通孔部（図示しない）に回動自在に挿通されて基板６１の上記中間部位の前方へ延出している。
【０１２０】
回動部材６２は、遊技盤２０の開口部２３内にて、その回動中心部６２ａでもって、ロータリーソレノイド５４の回動軸５４ｂの先端部に同軸的に支持されている。
【０１２１】
当該回動部材６２は、槌６２ｂ及び遮断アーム６２ｃを有しており、これら槌６２ｂ及び遮断アーム６３ｃは、回動中心部６２ａから基盤６１の前面に沿い二股状にかつ長手状に延出して回動部材６２を構成している。
【０１２２】
本第３実施形態において、槌６２ｂは、長手状基部６２ｄ及び打撃部６２ｅを有しており、長手状基部６２ｄは、回動中心部６２ａから基盤６１の前面に沿い回動可能にかつ長手状に延出している。打撃部６２ｅは、長手状基部６２ｄの延出端部から図２９にて図示反時計方向に屈曲するように一体的に延出されて、槌６２ｂをほぼＬ字状に構成している。
【０１２３】
しかして、このように構成した槌６２ｂは、発射レール部材６０ｂの発射レール６４（後述する）上の遊技球に対し打撃部６２ｅにより打撃を加えるために発射レール部材６０ｂの発射レール６４の発射基端部６３ａ（後述する）に対向する原回動位置（球打撃回動位置）と、球送り装置４０からの次の遊技球を発射レール６４上にセットするために上記原回動位置から後退する後退回動位置との間において、当該後退回動位置から上記原回動位置へ、或いは、当該原回動位置から上記後退回動位置へロータリーソレノイド５４の回動軸５４ｂを中心として回動するようになっている。
【０１２４】
これに伴い、発射レール６４上の遊技球は、打撃部６２ｅによる打撃に基づき、発射レール６４に沿い発射されて、当該発射レール６４の発射先端部６３ｂから案内レール３０ａの案内口部３４に向けて発射される。本第３実施形態において、遊技球が発射レール６４の発射先端部６３ｂ（後述する）から案内レール３０ａの案内口部３４にかけて移動する経路（図２９にて図示二点鎖線参照）を、以下、球移動経路（以下、第３球移動通路ともいう）というものとする。
【０１２５】
一方、遮断アーム６２ｃは、長手状基部６２ｆ及び遮断部６２ｇを有しており、長手状基部６２ｆは、回動中心部６２ａから基盤６１の前面に沿い回動可能にかつ長手状に延出している。ここで、当該長手状基部６２ｆは、長手状基部６２ｄに対し鋭角をなすように、回動中心部６２ａから長手状基部６２ｄの図２９にて図示右側へ延出している。
【０１２６】
遮断部６２ｇは、図２９にて拡大して示すように、長手状基部６２ｄの延出端部から三味線のバチに類似した形状にて延出している。
【０１２７】
しかして、遮断アーム６２ｃは、遮断部６２ｇの先端部にて、発射レール６４上の遊技球に対する打撃部６２ｅの打撃直前に、上記球移動経路よりも上側の回動位置（遮断解放回動位置ともいう）に位置し、また、発射レール６４６上の遊技球に対する打撃部６２ｅの打撃直後には、発射レール６４をその発射先端部６３ｂ側から遮断する回動位置（以下、遮断回動位置ともいう）に位置するように、槌６２ｂに連動して回動する。
【０１２８】
本第３実施形態では、遮断アーム６２ｃの遮断回動位置（以下、第３遮断回動位置ともいう）は、図２９にて示すごとく、遮断アーム６２ｃの遮断部６２ｇが発射レール６４をその発射先端部６３ｂ側から遮断するように発射レール６４の発射先端部６３ｂにその上方から近接して上記球移動通路を遮断する位置（図２９参照）をいう。また、遮断アーム６２ｃの遮断解放回動位置（以下、第３遮断解放回動位置ともいう）は、遮断アーム６２ｃの遮断部６２ｇが上記球移動通路の上縁部の上側に対応する位置（図３１参照）をいう。
【０１２９】
発射レール部材６０ｂは、図２９或いは図３１にて拡大して示すごとく、回動部材６２の槌６２ｂと遮断アーム６２ｃとの間にて、基板６１の中間部位にその前側から設けられている。
【０１３０】
当該発射レール部材６０ｂは、前後両側脚壁６３及び発射レール６４６でもって、上記第１実施形態にて述べた発射レール部材５０ｂと同様に、横断面「Ｍ」の字状に構成されている。当該発射レール部材６０ｂは、前後両側脚壁６３のうち後側脚壁６３にて、基板６１の中間部位にその前面側から支持されている。
【０１３１】
発射レール６４は、その幅方向両縁部にて、前後両側脚壁６３の各上縁部と一体的に形成されており、当該発射レール６４は、前後両側脚壁６３と共に、発射レール部材６０ｂを横断面「Ｍ」の字状に構成するように、横断面「Ｖ」の字状に形成されている。
【０１３２】
当該発射レール６４は、その発射基端部６４ａにて、上記ケーシングの上記開口部に左側から対向している。また、当該発射レール６４は、その発射基端部８４ａから発射先端部６４ｂにかけて、前後両側脚壁６３の傾斜方向に沿い傾斜状に案内レール３０ａの案内口部３４に向けて延出している。従って、当該発射レール６４は、その発射先端部６４ｂにて、案内レール３０ａの案内口部３４に対向する。
【０１３３】
これに伴い、球送り装置４０から基板６１の導入口部６１ａ（図２９参照）を介し発射レール６４に送られる遊技球は、発射レール６４の発射基端部６４ａ上にて、ストッパ６１ｂ（図２９参照）に当接する。ここで、ストッパ６１ｂは、発射レール６４の直上にて基板６１の中間部位に突設されており、当該ストッパ６１ｂは、その下端面６１ｃにて、発射レール５６の発射基端部５６ａから導入口部６１ａの上部側にかけ、右斜め上方に向くように形成されている。
【０１３４】
但し、ストッパ６１ｂの下端面６１ｃのうち発射レール６４の発射基端部６４ａに対する対応端部と発射レール６４の発射基端部６４ａとの間隔は、遊技球の外径よりも狭くなっている。このことは、ストッパ６１ｂは、当該遊技球を発射レール６４から脱落しないように発射基端部６４ａ上に保持する役割を果たすことを意味する。なお、導入口部６１ａは、基板６１のうち発射レール６４とストッパ６１ｂとの間にて、基板６１に貫通状に形成されて、球送り装置４０から送られる遊技球を導入して発射レール６４上に載せる。
【０１３５】
また、本第３実施形態においても、発射レール６４の長さは、上記第１実施形態にて述べた発射レール５６と同様に、発射レール６４の上面に遊技球を１個だけ載せるに要する長さに設定されている。なお、発射レール部材６０ｂは、上記第１実施形態にて述べた発射レール部材５０ｂと同様に、Ｍ型発射レール部材ともいう。
【０１３６】
遊技装置は、本第３実施形態においても、上記第１実施形態にて述べた揚送装置Ｒを備えている。但し、本第３実施形態では、揚送装置Ｒは、図２７或いは図２８にて示すごとく、遊技機本体Ｐｂの後側にて当該遊技機本体Ｐｂの左下隅角部に付設されている。しかして、当該揚送装置Ｒは、パチンコ遊技機Ｐの遊技盤２０の遊技領域２１に沿い転動してアウト口２２を介し受け皿２４（図２８参照）内に収容した遊技球やファウル球を、揚送通路Ｒａを通して揚送して球送り装置４０に供給する。なお、受け皿２４は、遊技盤２０の直下にて、本体枠１０に支持されて、上述したアウト口２２からの遊技球やファウル球を収容する。その他の構成は、上記第１実施形態と同様である。
【０１３７】
このように構成した本第３実施形態において、上記第１実施形態と同様に、球送り装置４０から送られた遊技球Ｑが、図２５〜図２９のいずれかにて示すごとく、発射レール部材６０ｂの発射レール６４の発射基端部６４ａ上にてストッパ６１ｂの下端面６１ｃに当接しているものとする。このとき、回動部材６２において、槌６２ｂは、図２９にて示すごとく、その後退回動位置まで回動した状態にあり、遮断アーム６２ｃは、遮断部６２ｇにて、図２９にて示すごとく、上記第３遮断回動位置に位置している。
【０１３８】
従って、遮断アーム６２ｃが遮断部６２ｇにより上記第３球移動通路を遮断することで、発射レール６４は、発射先端部６４ｂ側から遮断されている。このため、遊技球Ｑは、上記第１実施形態と同様に、発射レール６４上から発射先端部６４ｂ側へこぼれ落ちないように当該発射レール６４上に保持され得る。
【０１３９】
このような状態において、上記第１実施形態と同様に、ロータリーソレノイド５４が、図２９にて図示反時計方向に回動すると、回動部材６２において、槌６２ｂが、遮断アーム６２ｃと一体となって、当該遮断アーム６２ｃとともに、図２９及び図３０にて示すごとく、図示反時計方向に回動する。
【０１４０】
このような回動過程においては、槌６２ｂが、図２９及び図３０にて示すごとく、上記後退回動位置から上記原回動位置に向けて回動する。これに伴い、槌６２ｂが、その打撃部６２ｅにて、図３０にて示すごとく、発射レール６４の発射基端部６４ａ上の遊技球Ｑに対向する打撃直前回動位置まで回動する。
【０１４１】
また、上述のように、槌６２ｂが上記後退回動位置から上記原回動位置に向けて回動すると、遮断アーム６２ｃが、当該槌６２ｂに連動して一体的に、図２９及び図３０にて示すごとく、上記第３遮断回動位置から上記第３遮断解放回動位置まで回動する。
【０１４２】
このことは、遮断アーム６２ｃの遮断部６２ｇが，槌６２ｂにより遊技球Ｑに打撃を加える直前には、上記第３球移動経路を解放する状態に達することを意味する。換言すれば、槌６２ｂが、図３１にて示すごとく、上記原回動位置に達したとき、遮断アーム６２ｃの遮断部６２ｇは、上記第３球移動経路の上縁部の直上にあって、発射レール６４上の遊技球の発射を円滑に可能とする状態にある。
【０１４３】
然る後、槌６２ｂが、上記原回動位置にて、打撃部６２ｅにより、発射レール６４の発射基端部６４ａ上の遊技球Ｑに打撃を加えると、当該遊技球Ｑは、槌６２ｂの打撃部６２ｅによる打撃に基づき、発射レール６４上に沿い移動してその発射先端部６４ｂから発射されて、上記第３球移動経路に沿いに沿い、遮断アーム６２ｃの遮断部６２ｇと干渉することなく、飛んでいく。
【０１４４】
上述のように遊技球Ｑが槌６２ｂの打撃により発射されると、上記第１実施形態と同様に、回動部材６２は、遮断アーム６２ｃの自重のもとに、図３１にて図示時計方向に回動する。これに伴い、槌６２ｂが上記原回動位置から上記後退回動位置に向けて回動し、遮断アーム６２ｃが、上記第３遮断解放回動位置から上記第３遮断回動位置に向けて回動する。
【０１４５】
このとき、槌６２ｂが上記原回動位置から上記後退回動位置まで後退するように回動するに伴い、遮断アーム６２ｃが、上記第３遮断解放回動位置から上記第３遮断回動位置まで回動する。このため、遮断アーム６２ｆが、その遮断部６２ｇにて、上記第３球移動通路を遮断して、発射レール５６をその発射先端部５６ｂ側から遮断する。
【０１４６】
以上説明したように、本第３実施形態によれば、球発射装置６０が、上記第１実施形態にて述べた球発射装置５０とは異なり、遊技盤２０の左上側隅角部に設けられている。換言すれば、上記第１実施形態にて述べたように案内レール３０が、遊技領域２１を包囲し、かつ、内側レール部３１及び外側レール部３２の間に案内通路３３を形成する構成とするのではなく、本第３実施形態では、球発射装置６０を遊技盤２０の左上側隅角部に設けるとともに、上記第１実施形態にいうような案内レールではなく上記構成の案内レール３０ａを設けて、遊技球を球発射装置６０により、遊技球を、上記第１実施形態にいう案内通路を介在させることなく、直接、遊技盤２０の左上側から案内レール３０ａの案内口部３４を介し遊技領域２１内に発射するように構成した。
【０１４７】
これによれば、本第３実施形態では、上記第１実施形態にて述べた案内通路３３に相当する案内通路が案内レール３０ａには存在せず、球発射装置６０の発射レール６４が、その発射先端部６４ｂにて、案内レール３０ａの案内口部３４を介し、直接、遊技領域２１を臨む位置に位置する。
【０１４８】
このため、遊技領域２１から案内レール３０ａの案内口部３４を介し、直接、発射レール６４に戻ろうとする遊技球は、上記第１実施形態にて述べたような案内通路を介在させることなく、即座に、発射レール６４の発射先端部６４ｂと案内レール３０ａの案内口部３４との間において、遮断アーム６２ｃにより、遮断することができる。
【０１４９】
換言すれば、遊技球が、何らかの衝撃で遊技領域２１から案内レール３０ａの案内口部３４を通して跳ね返り、発射レール６４側に戻っても、当該遊技球は、上述のように遮断アーム６２ｃにより遮断されるので、当該遊技球が、発射レール６４上に次に待機しようとする遊技球に悪影響を与えることがない。従って、次に待機しようとする遊技球は、円滑に球発射装置６０により発射され得る。その他の作用効果は、上記第１実施形態と同様である。
【０１５０】
なお、本発明の実施にあたり、上記各施形態に限ることなく、次のような種々の変形例が挙げられる。
（１）本発明の実施にあたり、上記第１実施形態において、球発射装置５０の回動部材は、遮断アームを槌と別体で構成してもよい。この場合、槌は、ロータリーソレノイド５４により回動されるものとし、遮断アームは、回動制御回路（図示しない）及び光センサー５８でもって、次のように制御される。
【０１５１】
ここで、上記回動制御回路は、発射レール５６の発射基端部５６ａ上への遊技球の到達を光センサー５８にて検出したときこの光センサー５８からの検出信号に基づき遮断アームを遮断回動位置から遮断解放回動位置へ回動させるように制御する。また、当該回動制御回路は、発射レール５６の発射基端部５６ａ上の遊技球の打撃による発射に基づく光センサー５８の検出信号の発生停止に基づき遮断アームに対する制御を停止する。このとき、遮断アームは、その自重に基づき遮断回動位置に向けて回動する。
【０１５２】
これにより、遊技球が発射レール５６から発射された後遮断アームの遮断部に達する直前までには、上記第１球移動経路の遮断が解放される。以上のような構成及び作用効果は、上記第２或いは第３の実施形態においても同様に成立する。
（２）本発明の実施にあたり、球発射装置は、回動部材及び発射レールに依存することなく、球送り装置からの遊技球をその落下過程にて適宜な手段により発射するようにしてもよい。なお、上記適宜な手段は、例えば、電磁式アクチュエータであってもよい。
（３）本発明の実施にあたり、発射レール５６或いは６４は、上記実施形態とは異なり、複数の遊技球を載せ得るような長さを有していてもよい。
（４）本発明の実施にあたり、遊技球が遮断アームの遮断部に達する直前までに上記球移動経路を解放し、さらに、当該遊技球が遮断アームの遮断部の位置を通過した後、直ちに、上記球移動経路を遮断し、かつ、次の遊技球が遮断アームの遮断部に達する直前までに上記球移動経路を解放するようにすれば、戻り球の発射レール上への進入を、より一層確実に防止することができる。
（５）また、本発明の実施にあたり、上記実施形態にて述べた遊技球を封入循環させるように構成してなるパチンコ遊技機に限ることなく、各種のパチンコ遊技機等の遊技機に本発明を適用してもよい。
【符号の説明】
【０１５３】
２０…遊技盤、４０…球送り装置。５０、６０…球発射装置、
５０ｂ、６０ｂ…発射レール部材、５３ｂ、６２ｂ…槌、
５４…ロータリーソレノイド、５３ｃ、５３ｈ、６２ｃ…遮断アーム、
５６、６４…発射レール、５６ｂ、６４ｂ…発射端部、５８…光センサー。
【図１】
0005542174.tif 000002
【図２】
0005542174.tif 000003
【図３】
0005542174.tif 000004
【図４】
0005542174.tif 000005
【図５】
0005542174.tif 000006
【図６】
0005542174.tif 000007
【図７】
0005542174.tif 000008
【図８】
0005542174.tif 000009
【図９】
0005542174.tif 000010
【図１０】
0005542174.tif 000011
【図１１】
0005542174.tif 000012
【図１２】
0005542174.tif 000013
【図１３】
0005542174.tif 000014
【図１４】
0005542174.tif 000015
【図１５】
0005542174.tif 000016
【図１６】
0005542174.tif 000017
【図１７】
0005542174.tif 000018
【図１８】
0005542174.tif 000019
【図１９】
0005542174.tif 000020
【図２０】
0005542174.tif 000021
【図２１】
0005542174.tif 000022
【図２２】
0005542174.tif 000023
【図２３】
0005542174.tif 000024
【図２４】
0005542174.tif 000025
【図２５】
0005542174.tif 000026
【図２６】
0005542174.tif 000027
【図２７】
0005542174.tif 000028
【図２８】
0005542174.tif 000029
【図２９】
0005542174.tif 000030
【図３０】
0005542174.tif 000031
【図３１】
0005542174.tif 000032